(57)【要約】      （修正有）【課題】  スクイズ容器の口筒部に装着した吐出キャップにおいて、内容物を細口用または太口用から吐出巾を変えて吐出させて塗布することができる吐出キャップを提供すること。【解決手段】  可撓性を有する容器本体と、容器本体の口筒部に装着される吐出キャップにおいて、吐出キャップは、容器本体の口筒部に装着される下キャップと、下キャップの外周に装着される上キャップとを具え、下キャップは、中央に細口吐出口が穿設された頂壁と、上部筒と、容器本体に係合する下部筒とを具え、上キャップは、内周が下キャップの上部筒の上部係合筒外周に係合する太口吐出筒と、太口吐出筒下端から外方に傾斜し、連通孔を閉鎖する傾斜筒とを具え、下キャップに対して上キャップを操作することにより、容器本体内の内容物を下キャップの細口吐出口、または、上キャップの太口吐出筒の開口から選択して吐出可能としたことを特徴とする。【選択図】  図１
2008030789.tif 000002
【特許請求の範囲】
【請求項１】
可撓性を有する容器本体と、容器本体の口筒部に装着される吐出キャップにおいて、
吐出キャップは、容器本体の口筒部に装着される下キャップと、下キャップの外周に装着される上キャップとを具え、
下キャップは、中央に細口吐出口が穿設された頂壁と、上部筒と、容器本体に係合する下部筒とを具え、
上部筒は、頂壁外縁から垂設される上部係合筒と、上部係合筒下端から外方に傾斜する傾斜係合筒と、傾斜係合筒下端から垂設され、外周にねじを螺設した下部係合筒とを具え、
傾斜係合筒には、連通孔が穿設され、
上キャップは、内周が下キャップの上部筒の上部係合筒外周に係合する太口吐出筒と、太口吐出筒下端から外方に傾斜し、下面が上部筒の傾斜係合筒上面と係合し、連通孔を閉鎖する傾斜筒と、傾斜筒下端から垂設され、内周に下キャップの下部係合筒のねじに係合するねじが螺設された外筒とを具え、
下キャップに対して上キャップを操作することにより、容器本体内の内容物を下キャップの細口吐出口、または、上キャップの太口吐出筒の開口から選択して吐出可能としたことを特徴とする吐出キャップ。
【請求項２】
可撓性を有する容器本体と、容器本体の口筒部に装着される吐出キャップにおいて、
吐出キャップは、容器本体の口筒部に装着される下キャップと、下キャップの外周に装着される上キャップとを具え、
下キャップは、細口吐出筒と、上部筒と、上キャップに係合する係合筒と、容器本体に係合する下部筒とを具え、
上部筒には、下端から所定の高さまで穿設された連通孔が配設され、
上キャップは、内周が下キャップの上部筒の外周上部に係合する太口吐出筒と、下キャップの係合筒と係合する外筒とを具え、
下キャップに対して上キャップを操作することにより、容器本体内の内容物を下キャップの細口吐出口、または、上キャップの太口吐出筒の開口から選択して吐出可能としたことを特徴とする吐出キャップ。
【請求項３】
可撓性を有する容器本体と、容器本体の口筒部に装着される吐出キャップにおいて、
吐出キャップは、容器本体の口筒部に装着される下キャップと、下キャップの外周に装着される上キャップと、上キャップの上部にヒンジを介して連設される蓋体とを具え、
下キャップは、中央に細口吐出口が穿設された頂壁と、係合筒と、フランジと、上キャップと係合する上部筒と、内周が容器本体の口筒部と係合する下部筒とを具え、
フランジには、連通孔が穿設され、
上キャップは、内周が下キャップの係合筒の外周に係合する太口吐出筒と、太口吐出筒の外周に連設される上壁と、内周が下キャップの上筒部と係合する外筒とを具え、
蓋体は、頂壁と、筒壁と、頂壁下面中央に垂設され、閉蓋時に下キャップの細口吐出口の内周に挿入される栓体が配設され、
蓋体を開蓋した後、下キャップに対して上キャップを操作することにより、容器本体内の内容物を下キャップの細口吐出口、または、上キャップの太口吐出筒の開口から選択して吐出可能としたことを特徴とする吐出キャップ。
【発明の詳細な説明】
【技術分野】
【０００１】
本発明は、吐出キャップ、とくに粘性がある内容物を収納したスクイズ可能な容器本体の口筒部に装着し、吐出口を細口用と太口用とを切り替えて吐出可能とした吐出キャップに関するものである。
【背景技術】
【０００２】
液体のりなどの粘性がある内容物を収納したスクイズ可能な容器本体の口筒部に装着した吐出キャップにおいて、吐出キャップを下キャップと下キャップに被せた上キャップの二つの部材から形成し、上キャップを操作することで、吐出口を細口用と太口用とを切り替えて塗布可能とした吐出キャップは従来より知られている（例えば、特許文献１参照）。
【特許文献１】特開２００１−４７７９５号
【発明の開示】
【発明が解決しようとする課題】
【０００３】
しかしながら、上記特許文献１記載の吐出キャップでは、太口用で塗布する際に、下キャップ（細塗ノズル２）の吐出口より内容物を吐出し、上キャップ（太塗ノズル４）の中央に設けた吐出口（吐出孔４２）内を通し、吐出口（吐出孔４２）から出てくる内容物を、上キャップ（太塗ノズル４）の太巾塗布部４１で押し広げて塗布していた。
【０００４】
このため、上キャップ（太塗ノズル４）の太巾塗布部４１が塗布面に接触していないと、内容物が下キャップ（細塗ノズル２）の吐出口の巾でしか吐出されないという問題があった。
また、太口用で塗布する際にも、内容物が下キャップ（細塗ノズル２）の吐出口を使用して吐出されるため吐出量が少なく、太巾のために内容物を大量に出そうとすると、容器本体の胴部をより強い押圧力でスクイズしなくてはならなかった。
【０００５】
本発明は、上記問題を解決することを課題とし、スクイズ可能な容器本体の口筒部に装着した吐出キャップにおいて、塗布面から離れていても、内容物を細口用または太口用から吐出巾を変えて吐出させて塗布することができ、また、容器本体をスクイズした際に、細口用からは少量の吐出量、太口用からは大量の吐出量を抵抗なく吐出することのできる吐出キャップを提供することを目的とする。
【課題を解決するための手段】
【０００６】
本発明は、上記の課題を解決するため、吐出キャップとして、可撓性を有する容器本体と、容器本体の口筒部に装着される吐出キャップにおいて、吐出キャップは、容器本体の口筒部に装着される下キャップと、下キャップの外周に装着される上キャップとを具え、下キャップは、中央に細口吐出口が穿設された頂壁と、上部筒と、容器本体に係合する下部筒とを具え、上部筒は、頂壁外縁から垂設される上部係合筒と、上部係合筒下端から外方に傾斜する傾斜係合筒と、傾斜係合筒下端から垂設され、外周にねじを螺設した下部係合筒とを具え、傾斜係合筒には、連通孔が穿設され、上キャップは、内周が下キャップの上部筒の上部係合筒外周に係合する太口吐出筒と、太口吐出筒下端から外方に傾斜し、下面が上部筒の傾斜係合筒上面と係合し、連通孔を閉鎖する傾斜筒と、傾斜筒下端から垂設され、内周に下キャップの下部係合筒のねじに係合するねじが螺設された外筒とを具え、下キャップに対して上キャップを操作することにより、容器本体内の内容物を下キャップの細口吐出口、または、上キャップの太口吐出筒の開口から選択して吐出可能としたことを特徴とする構成を採用する。
【０００７】
吐出キャップの別実施例として、可撓性を有する容器本体と、容器本体の口筒部に装着される吐出キャップにおいて、吐出キャップは、容器本体の口筒部に装着される下キャップと、下キャップの外周に装着される上キャップとを具え、下キャップは、細口吐出筒と、上部筒と、上キャップに係合する係合筒と、容器本体に係合する下部筒とを具え、上部筒には、下端から所定の高さまで穿設された連通孔が配設され、上キャップは、内周が下キャップの上部筒の外周上部に係合する太口吐出筒と、下キャップの係合筒と係合する外筒とを具え、下キャップに対して上キャップを操作することにより、容器本体内の内容物を下キャップの細口吐出口、または、上キャップの太口吐出筒の開口から選択して吐出可能としたことを特徴とする構成を採用する。
【０００８】
吐出キャップの他の実施例として、可撓性を有する容器本体と、容器本体の口筒部に装着される吐出キャップにおいて、吐出キャップは、容器本体の口筒部に装着される下キャップと、下キャップの外周に装着される上キャップと、上キャップの上部にヒンジを介して連設される蓋体とを具え、下キャップは、中央に細口吐出口が穿設された頂壁と、係合筒と、フランジと、上キャップと係合する上部筒と、内周が容器本体の口筒部と係合する下部筒とを具え、フランジには、連通孔が穿設され、上キャップは、内周が下キャップの係合筒の外周に係合する太口吐出筒と、太口吐出筒の外周に連設される上壁と、内周が下キャップの上筒部と係合する外筒とを具え、蓋体は、頂壁と、筒壁と、頂壁下面中央に垂設され、閉蓋時に下キャップの細口吐出口の内周に挿入される栓体が配設され、蓋体を開蓋した後、下キャップに対して上キャップを操作することにより、容器本体内の内容物を下キャップの細口吐出口、または、上キャップの太口吐出筒の開口から選択して吐出可能としたことを特徴とする構成を採用する。
【発明の効果】
【０００９】
本発明の吐出キャップは、内容物の吐出径を細くして使用する際には、内容物が下キャップの細口吐出口から吐出できる。
また、内容物の吐出径を太くして使用する際には、内容物が下キャップの細口吐出口から吐出されるとともに、下キャップに穿設した連通孔からも吐出され、上キャップの太口吐出筒の開口から吐出径を太くして吐出することができるため、上キャップの太口吐出筒を塗布面に近づけなくても、内容物を太口吐出筒の開口から均一に吐出することができるようになった。
【００１０】
また、内容物の吐出径を太くして使用する際に、内容物が下キャップの連通孔から吐出されるので、細口吐出口の内径がある程度小さいものでも、内容物を上キャップの太口吐出筒の開口から抵抗なく吐出することができるようになった。
【発明を実施するための最良の形態】
【００１１】
次に、本発明の吐出キャップについて、実施例をあげ、図面を参照して説明する。
【実施例１】
【００１２】
図１において、Ａは可撓性を有し、内容物を収納するとともに、収納した内容物を押出可能とした容器本体、Ｂは容器本体Ａの口筒部に装着される下キャップ、Ｃは下キャップＢに装着される上キャップ、Ｄはオーバーキャップである。
容器本体Ａは、口筒部１とスクイズ可能な胴部２とを具えており、口筒部１の外周には、下キャップＢと係合するねじ３が設けられている。
【００１３】
下キャップＢは、図１、２に示すように、頂壁５と、頂壁５外縁から垂設され、外周が上キャップＣと係合する上部筒６と、上部筒６下端から段部を介して拡径された中間筒７、肩部８の周縁に連設され、容器本体ＡおよびオーバーキャップＤと係合する下部筒９とからなっている。
頂壁５の中央には、細口吐出口１０が穿設されている。
【００１４】
上部筒６は、頂壁５外縁から垂設される上部係合筒１１と、上部係合筒１１下端から外方に傾斜する傾斜係合筒１２と、傾斜係合筒１２下端から垂設される下部係合筒１３とから形成されている。
傾斜係合筒１２には、連通孔１４が複数穿設され、下部係合筒１３の外周には、ねじ１５が螺設されている。
【００１５】
下部筒９は、上部外筒１６と、上部外筒１６外周下端から段部を介して拡径された下部外筒１７とから形成されている。
上部外筒１６の外周には、オーバーキャップＤと係合する係合突部１８が設けられ、下部外筒１７の内周には、容器本体Ａの口筒部１のねじ３と係合するねじ１９が螺設されている。
【００１６】
上キャップＣは、図１に示すように、内周が下キャップＢの上部筒６の上部係合筒１１外周に係合する太口吐出筒２０と、太口吐出筒２０下端から外方に傾斜し、下面が上部筒６の傾斜係合筒１２上面と係合し、連通孔１４を閉鎖する傾斜筒２１と、傾斜筒２１下端から垂設される外筒２２とから形成されている。
外筒２２の内周には、下キャップＢの下部係合筒１３のねじ１５に係合するねじ２３が螺設されている。
【００１７】
オーバーキャップＤは、ドーム形をしており、内面頂部には、下キャップＢの頂壁５の細口吐出口１０に挿入される栓体２５と、内周が上キャップＣの太口吐出筒２０の外周と係合する栓筒２６が配設されている。
オーバーキャップＤの内面下端には、下キャップＢの上部外筒１６の係合突部１８と係合する係合突部２７が設けられている。
【００１８】
次に、本実施例の吐出キャップの使用態様と作用効果について説明する。
内容物の使用にあたっては、オーバーキャップＤを開蓋した後、上キャップＣを操作し、容器本体Ａの胴部２をスクイズすることにより、内容物の吐出量を調節して使用することができる。
【００１９】
内容物の吐出径を細くして使用したい場合には、下キャップＢに対して上キャップＣを閉方向に回転させ、図３に示すように、螺合させる。
最後まで螺合させると、下キャップＢの上部筒６の傾斜係合筒１２外面に、上キャップＣの傾斜筒２１の内面が係合し、傾斜係合筒１２の連通孔１４を閉鎖する。
また、下キャップＢの上部筒６の上部係合筒１１外周が、上キャップＣの太口吐出筒２０内周に係合し、太口吐出筒２０を完全に閉鎖する。
【００２０】
上キャップＣの太口吐出筒２０が閉鎖されると、容器本体Ａの胴部２をスクイズすることにより、内容物が下キャップＢの頂壁５の細口吐出口１０からのみ吐出され、内容物の吐出径を細くして使用することができる。
【００２１】
内容物の吐出径を太くして使用したい場合には、下キャップＢに対して上キャップＣを開方向に回転させ、図４に示すように、下キャップＢの上部筒６の傾斜係合筒１２外面と、上キャップＣの傾斜筒２１の内面との間に空間ａを形成するとともに、上部筒６の上部係合筒１１外周と、上キャップＣの太口吐出筒２０内周との係合を外す。
【００２２】
空間ａが形成されることによって、容器本体Ａの胴部２をスクイズした際に、容器本体Ａ内の内容物が下キャップＢの傾斜係合筒１２の連通孔１４から空間ａに吐出される。
さらに、空間ａから下キャップＢの頂壁５の細口吐出口１０から吐出される内容物とともに、上キャップＣの太口吐出筒２０の開口２０ａから吐出されることによって、内容物の吐出径を太くして使用することができる。
【００２３】
本実施例の吐出キャップは、内容物の吐出径を太くして使用する際に、内容物が下キャップＢの頂壁５の細口吐出口１０から吐出されるとともに、傾斜係合筒１２の連通孔１４からも吐出され、混ざり合って、上キャップＣの太口吐出筒２０の開口２０ａから均一に吐出径を太くして吐出させることができる。
したがって、図４に示すように、上キャップＣの太口吐出筒２０を塗布面に近づけなくても、内容物を太口吐出筒２０の開口２０ａから均一に吐出させることができる。
【００２４】
また、内容物の吐出径を太くして使用する際に、内容物が傾斜係合筒１２の連通孔１４から吐出されるので、細口吐出口１０の内径がある程度小さいものでも、容器本体Ａの胴部２を少ない押圧力でスクイズして内容物を吐出させることができる。
【実施例２】
【００２５】
次に、第１実施例の下キャップ、およびそれに伴う構成を変えた第２実施例について説明する。
本実施例の第１実施例と同一の構成部分には、同一の符号を付して図示して詳しい説明を省略し、相違点を中心に説明する。
【００２６】
図５において、Ａは可撓性を有し、内容物を収納するとともに、収納した内容物を押出可能とした容器本体、Ｂａは容器本体Ａの口筒部に装着される下キャップ、Ｃａは下キャップＢａに装着される上キャップ、Ｄａはオーバーキャップである。
【００２７】
下キャップＢａは、図５、６に示すように、内周が細口吐出口３０ａとなる細口吐出筒３０と、細口吐出筒３０の下端から拡径される上部筒３１と、上部筒３１下端から連設されるフランジ３２と、フランジ３２の外縁下端に段部を形成して垂設され、内周が容器本体Ａの口筒部１、および上部外周がオーバーキャップＤａと係合する下部筒３３とを具えている。
フランジ３２の上面の所定の位置には、上キャップＣａと係合する係合筒３４が立設され、下面には、外周が容器本体Ａの口筒部１内周に挿入される内筒３５が垂設されている。
【００２８】
上部筒３１には、下端から所定の高さまで穿設された連通孔３６が複数配設されており、係合筒３４の外周には、ねじ３７が螺設されている。
【００２９】
上キャップＣａは、図５に示すように、内周が下キャップＢａの上部筒３１の外周上部に係合する太口吐出筒４０と、太口吐出筒４０の下端から垂設される肩壁４１と、肩壁４１下面に垂設され、下キャップＢａの係合筒３４内周に挿入される内筒４２と、肩壁４１外縁に垂設される外筒４３とから形成されている。
【００３０】
太口吐出筒４０の上端部には、拡径され、液切れ機能を具えたリップ部４４が形成されている。
外筒４３の内周には、下キャップＢａの係合筒３４のねじ３７に係合するねじ４５が螺設されている。
【００３１】
オーバーキャップＤａは、ドーム形をしており、内面頂部には、上キャップＣａの太口吐出筒４０の内周に外周が挿入される栓筒４６と、上キャップＣａの太口吐出筒４０のリップ部４４外端に係合する突出リング４７が配設されている。
【００３２】
次に、本実施例の吐出キャップの作用効果について説明する。
内容物の吐出径を細くして使用したい場合には、下キャップＢａに対して上キャップＣａを閉方向に回転させ、図７に示すように、螺合させる。
最後まで螺合させると、下キャップＢａの上部筒３１の外周上部に、上キャップＣａの太口吐出筒４０の内周下部が係合し、太口吐出筒４０内方を閉鎖する。
【００３３】
上キャップＣａの太口吐出筒４０内方が閉鎖されると、容器本体Ａの胴部２をスクイズすることにより、内容物が下キャップＢａの細口吐出筒３０の細口吐出口３０ａからのみ吐出され、内容物の吐出径を細くして使用することができる。
【００３４】
内容物の吐出径を太くして使用したい場合には、下キャップＢａに対して上キャップＣａを開方向に回転させ、図８に示すように、下キャップＢａの上部筒３１の外周上部と、上キャップＣａの太口吐出筒４０の内周下部との係合を外すことによって、流路ｂが形成される。
【００３５】
流路ｂが形成されることで、容器本体Ａの胴部２をスクイズした際に、容器本体Ａ内の内容物が下キャップＢａの上筒部３１の連通孔３６から外方に吐出されるとともに、流路ｂを通り、上キャップＣａの太口吐出筒４０内方に吐出される。
さらに、下キャップＢａの細口吐出筒３０の細口吐出口３０ａから吐出される内容物とともに、上キャップＣａの太口吐出筒４０の開口４０ａから吐出されることによって、内容物の吐出径を太くして使用することができる。
【００３６】
また、内容物を連通孔３６より流路ｂを通して吐出することができるので、細口吐出筒３０の径を小さいものにしても、容器本体Ａの胴部２を少ない押圧力でスクイズして吐出することができる。
その他の構成は、第１実施例と同一であり、同一の作用効果を得ることができる。
【実施例３】
【００３７】
次に、第１実施例の上キャップ、およびそれに伴う構成を変えた第３実施例について説明する。
本実施例の第１実施例と同一の構成部分には、同一の符号を付して図示して詳しい説明を省略し、相違点を中心に説明する。  
【００３８】
図９において、Ａは可撓性を有し、内容物を収納するとともに、収納した内容物を押出可能とした容器本体、Ｂｂは容器本体Ａの口筒部に装着される下キャップ、Ｃｂは下キャップＢｂに装着される上キャップ、ＥはヒンジＦを介して上キャップＣｂに連設される蓋体である。
【００３９】
下キャップＢｂは、図９、１０に示すように、頂壁５０と、頂壁５０外縁から垂設される係合筒５１と、係合筒５１下端からフランジ５２を介して拡径される上部筒５３と、段部を介して拡径された中間筒５４と、中間筒５４に連設された肩部５５と、肩部５５の周縁から垂設され、内周が容器本体Ａの口筒部１と係合する下部筒５６とを具えている。
【００４０】
頂壁５０の中央には、細口吐出口５７が穿設されている。
フランジ５２には、所定の位置に連通孔５８が複数穿設され、上部筒５３の外周には、ねじ５９が螺設されている。
【００４１】
上キャップＣｂは、図９に示すように、内周が下キャップＢｂの係合筒５１の外周に係合する太口吐出筒６０と、太口吐出筒６０外周の所定の位置から連設される上壁６１と、上壁６１外縁に垂設される外筒６２とを具えている。
外筒６２の内周には、下キャップＢｂの上部筒５３のねじ５９に係合するねじ６３が螺設されている。
【００４２】
蓋体Ｅは、頂壁６５と、頂壁６５外縁から垂設される筒壁６６とを具えており、筒壁６６の外周下端の一部は、ヒンジＦを介して上キャップＣｂの外筒６２の外周上端の一部に連設されている。
【００４３】
頂壁６５は、閉蓋時に下面が上キャップＣｂの太口吐出筒６０の上端に当接するようになっており、下面中央部には、下キャップＢｂの細口吐出口５７の内周に挿入される栓体６７が配設されている。
【００４４】
次に、本実施例の吐出キャップの作用効果について説明する。
内容物を使用する際には、まず、蓋体ＥをヒンジＦを介して開蓋した後、容器本体Ａの胴部２をスクイズして使用する。
また、内容物を使用しないときには、蓋体Ｅを上キャップＣｂに係合させると閉蓋することができる。
【００４５】
内容物の吐出径を細くして使用したい場合には、下キャップＢｂに対して上キャップＣｂを閉方向に回転させ、図１１に示すように、螺合させる。
最後まで螺合させると、下キャップＢｂの係合筒５１の外周に、上キャップＣｂの太口吐出筒６０の内周が係合し、太口吐出筒６０内方を閉鎖する。
【００４６】
上キャップＣｂの太口吐出筒６０内方が閉鎖されると、容器本体Ａの胴部２をスクイズすることにより、内容物が下キャップＢｂの頂壁５０の細口吐出口５７からのみ吐出され、内容物の吐出径を細くして使用することができる。
【００４７】
内容物の吐出径を太くして使用したい場合には、下キャップＢｂに対して上キャップＣｂを開方向に回転させ、図１２に示すように、下キャップＢｂの係合筒５１の外周と、上キャップＣｂの太口吐出筒６０の内周との係合を外すことによって、開口６０ａが開かれ、流路ｃが形成される。
【００４８】
流路ｃが形成されると、容器本体Ａの胴部２をスクイズした際に、容器本体Ａ内の内容物が下キャップＢｂのフランジ５２の連通孔５７から流路ｃを通り、上キャップＣｂの太口吐出筒６０の開口６０ａに吐出される。
さらに、下キャップＢｂの頂壁５０の細口吐出口５７から吐出される内容物とともに、上キャップＣｂの太口吐出筒６０の開口６０ａから吐出されると、内容物の吐出径を太くして使用することができる。
【００４９】
また、内容物は連通孔５７より流路ｃを通して吐出されるので、下キャップＢｂの細口吐出口５７の径を小さいものにしても、容器本体Ａの胴部２を少ない押圧力でスクイズして吐出することができる。
その他の構成は、第１実施例と同一であり、同一の作用効果を得ることができる。
【００５０】
また、下キャップＢｂの下部筒５６に、他の実施例のように、下キャップＢｂ、上キャップＣｂおよび蓋体Ｅを被うオーバーキャップを被嵌させるようにしてもよい。
【産業上の利用可能性】
【００５１】
本発明は、スクイズ可能な容器本体に装着する吐出キャップとして、塗布面から離れていても、内容物を細口用または太口用から吐出巾を変えて吐出させて塗布することができ、また、容器本体をスクイズした際に、細口用からは少量の吐出量、太口用からは大量の吐出量を抵抗なく吐出することのできるので、液体のりの他に、ホイップクリームなどの食料品、菓子類、インクなどの文房具など粘性がある内容物を、細口または太口に切り替えて塗布可能とした吐出キャップとして幅広く利用することができる。
【図面の簡単な説明】
【００５２】
【図１】本発明第１実施例の容器の断面立面図である。
【図２】本発明第１実施例の下キャップの説明図で、（ａ）は上面図、（ｂ）は断面立面図である。
【図３】本発明第１実施例の細口吐出口を選択した時の説明図である。
【図４】本発明第１実施例の太口吐出筒を選択した時の説明図である。
【図５】本発明第２実施例の容器の断面立面図である。
【図６】本発明第２実施例の下キャップの説明図で、（ａ）は上面図、（ｂ）は断面立面図である。
【図７】本発明第２実施例の細口吐出口を選択した時の説明図である。
【図８】本発明第２実施例の太口吐出筒を選択した時の説明図である。
【図９】本発明第３実施例の容器の断面立面図である。
【図１０】本発明第３実施例の下キャップの説明図で、（ａ）は上面図、（ｂ）は断面立面図である。
【図１１】本発明第３実施例の細口吐出口を選択した時の説明図である。
【図１２】本発明第３実施例の太口吐出筒を選択した時の説明図である。
【符号の説明】
【００５３】
Ａ                容器本体
Ｂ、Ｂａ、Ｂｂ    下キャップ
Ｃ、Ｃａ、Ｃｂ    上キャップ
Ｄ、Ｄａ          オーバーキャップ
Ｅ                蓋体
Ｆ                ヒンジ
ａ                空間
ｂ、ｃ            流路
１                口筒部    
２                胴部
３、１５、１９、２３、３７、４５、５９、６３  ねじ
５、５０、６５    頂壁
６、３１、５３    上部筒
７、５４          中間筒
８、５５          肩部
９、３３、５６    下部筒
１０、３０ａ、５７  細口吐出口
１１              上部係合筒
１２              傾斜係合筒
１３              下部係合筒
１４、３６、５８  連通孔
１６              上部外筒
１７              下部外筒
１８、２７        係合突部
２０、４０、６０  太口吐出筒
２０ａ、４０ａ、６０ａ  開口
２１              傾斜筒
２２、４３、６２  外筒
２５、６７        栓体
２６、４６        栓筒
３０              細口吐出筒
３２、５２        フランジ
３４、５１        係合筒
３５、４２        内筒
４１              肩壁
４４              リップ部
４７              突出リング
６１              上壁
６６              筒壁
【図１】
2008030789.tif 000003
【図２】
2008030789.tif 000004
【図３】
2008030789.tif 000005
【図４】
2008030789.tif 000006
【図５】
2008030789.tif 000007
【図６】
2008030789.tif 000008
【図７】
2008030789.tif 000009
【図８】
2008030789.tif 000010
【図９】
2008030789.tif 000011
【図１０】
2008030789.tif 000012
【図１１】
2008030789.tif 000013
【図１２】
2008030789.tif 000014